(57)【特許請求の範囲】
【請求項１】
レンズと、
外壁面に第１のネジが形成された、前記レンズを収容する鏡筒と、
内壁面に前記鏡筒外壁面に形成された第１のネジと螺合する第２のネジが形成されるとともに外壁面にレンズホルダ取付用の第３のネジが形成された、前記鏡筒に収容されたレンズの周縁部を押える押え環とを備え、
前記押え環が、内周面と外周面との双方に開口して前記レンズの光軸方向に延び、一端が該押え環の端面に達するネジロック用接着溝を有することを特徴とするレンズ組立体。
【請求項２】
前記鏡筒が、前記第１のネジが外壁面に形成されるとともに該外壁面に前記押え環が螺合したときに該押え環の内壁面と摺接する円筒状の第１の摺接面を有し、
前記押え環が、前記第２のネジが内壁面に形成されるとともに、該内壁面に、前記鏡筒に螺合したときに該鏡筒の前記第１の摺接面と摺接する円環状の第２の摺接面を有することを特徴とする請求項１記載のレンズ組立体。
【請求項３】
前記押え環の内壁面に形成された前記第２のネジと該押え環の外壁面に形成された前記第３のネジが、互いに逆ネジに形成されていることを特徴とする請求項１または２記載のレンズ組立体。
【請求項４】
前記押え環が、前記レンズホルダ取付時に該押え環を該レンズホルダに螺入するためのカニメ溝を有することを特徴とする請求項３記載のレンズ組立体。
【請求項５】
さらに、前記押え環外壁面に形成された第３のネジが螺入する第４のネジが形成されたレンズホルダを備えたことを特徴とする請求項１から４のうちのいずれか１項記載のレンズ組立体。
【請求項６】
請求項１から５のうちいずれか１項記載のレンズ組立体と、撮像素子とを備えたことを特徴とする撮像装置。
【発明の詳細な説明】
【技術分野】
【０００１】
本発明は、撮像素子上に被写体光を結像させるレンズが組み込まれたレンズ組立体、およびそのレンズ組立体を備えた撮像装置に関する。
【背景技術】
【０００２】
従来より、ＣＣＤ撮像素子等の撮像素子上に被写体光を結像させる撮影レンズと、その撮影レンズを収容する鏡筒と、その鏡筒に収容された撮影レンズの周縁部を押える押え環と、上記撮像素子が取り付けられるレンズホルダとを備えたレンズ組立体が知られている。
【０００３】
図１０は、従来のレンズ組立体の、レンズホルダが取り付けられる前の構造の一部を切り欠いて示す斜視図である。
【０００４】
図１０には、レンズ組立体１００を構成する撮影レンズ１０１と、その撮影レンズ１０１を収容する鏡筒１０２と、その撮影レンズ１０１の周縁部を押える押え環１０３とが示されている。押え環１０３は、鏡筒１０２の内壁面の、被写体光Ａが入射される前端側とは反対側の後端側に備えられている。詳細には、押え環１０３の外壁面には雄ネジ１０３ａが形成されているとともに、鏡筒１０２の内壁面の後端側には雌ネジ１０２ａが形成されており、この雌ネジ１０２ａに上記雄ネジ１０３ａが螺入することにより、押え環１０３が鏡筒１０２の内壁面の後端側に固定されている。また、鏡筒１０２の外壁面には、雄ネジ１０２ｂが形成されている。
【０００５】
図１１は、図１０に示すレンズ組立体の、レンズホルダが取り付けられた後の構造の一部を切り欠いて示す斜視図である。
【０００６】
図１１には、上述した撮影レンズ１０１，鏡筒１０２，押え環１０３、および鏡筒１０２に取り付けられたレンズホルダ１０４を備えたレンズ組立体１００が示されている。
尚、レンズホルダ１０４は、実際には、このレンズホルダ１０４を鏡筒１０２に取り付けるための前枠および撮像素子を取り付けるための後枠を有するが、ここでは便宜上、レンズホルダ１０４の前枠のみ図示している。このレンズホルダ１０４の前枠の内壁面には雌ネジ１０４ａが形成されており、この雌ネジ１０４ａに鏡筒１０２の外壁面に形成された雄ネジ１０２ｂが螺入することにより、鏡筒１０２にレンズホルダ１０４が取り付けられている。
【０００７】
図１２は、従来の、図１０，図１１に示すレンズ組立体とは異なるレンズ組立体の、レンズホルダが取り付けられる前の構造の一部を切り欠いて示す斜視図である。
【０００８】
図１２には、レンズ組立体２００を構成する撮影レンズ２０１と、その撮影レンズ２０１を収容する鏡筒２０２と、その撮影レンズ２０１の周縁部を押える押え環２０３とが示されている。押え環２０３は、鏡筒２０２の外壁面の、被写体光Ａが入射される前端側とは反対側の後端側に備えられている。詳細には、鏡筒２０２の外壁面の、上記周縁部に対応する後端側に雄ネジ２０２ａが形成されるとともに、押え環２０３の内壁面に雌ネジ２０３ａが形成されており、この雌ネジ２０３ａに上記雄ネジ２０２ａが螺入することにより、押え環２０３が鏡筒２０２の外壁面の後端側に固定されている。また、鏡筒２０２の外壁面の、押え環２０３が固定された後端側を除く前端側に、雄ネジ２０２ｂが形成されている。
【０００９】
図１３は、図１２に示すレンズ組立体の、レンズホルダが取り付けられた後の構造の一部を切り欠いて示す斜視図である。
【００１０】
図１３には、上述した撮影レンズ２０１，鏡筒２０２，押え環２０３、および鏡筒２０２に取り付けられたレンズホルダ２０４を備えたレンズ組立体２００が示されている。詳細には、レンズホルダ２０４の内壁面には雌ネジ２０４ａが形成されており、この雌ネジ２０４ａに、鏡筒２０２の外壁面前端側に形成された雄ネジ２０２ｂが螺入することにより、鏡筒２０２にレンズホルダ２０４が取り付けられている。
【００１１】
上述したレンズ組立体１００，２００においては車載カメラなどへの応用が期待されるとともに、超小型化を図ることが可能なので益々の小型薄型化が図られている携帯電話等の携帯機器への搭載が期待される。
【００１２】
さらに、特許文献１には、画角（外径）の異なる種々の広角レンズを共有することができる鏡筒本体と、その鏡筒本体に保持された広角レンズを押える押え部材とを備えたレンズ組立体が提案されている。このレンズ組立体によれば、画角の異なるレンズを組み込むにあたり、鏡筒本体の内側のみでなく鏡筒本体の前端面も配置スペースとして利用するため、鏡筒本体の内側において種々の広角レンズに適合するように複数段のレンズ座を設ける場合と比較し、鏡筒本体の、光軸方向への寸法を短く抑えることができる。
【特許文献１】特開２００７−２７９５５７号公報
【発明の開示】
【発明が解決しようとする課題】
【００１３】
上述した従来のレンズ組立体１００では、鏡筒１０２の内壁面の後端側に、押え環１０３を固定するための雌ネジ１０２ａを形成する必要がある。このため、鏡筒１０２の、光軸方向への寸法は、この雌ネジ１０２ａを形成するためのスペース分（押え環の嵌合長分）だけ長い寸法が必要である。従って、小型化に欠けるという問題がある。
【００１４】
また、従来のレンズ組立体２００では、鏡筒２０２の外壁面の前端側に、レンズホルダ２０４を取り付けるための雄ネジ２０２ｂを形成する必要がある。このため、レンズホルダ２０４の雌ネジ２０４ａもレンズホルダの前端側に形成しなくてはならなくなるため、レンズホルダ２０４の寸法が大きくなってしまう。従って、このレンズ組立体２００においても、小型化に欠けるという問題がある。
【００１５】
さらに、特許文献１に提案されたレンズ組立体は、鏡筒本体に押え部材を結合する構成であるため、鏡筒本体の、光軸方向への寸法は、この押え部材を結合するためのスペース分だけ長い寸法が必要である。従って、やはり小型化に欠けるという問題がある。
【００１６】
本発明は、上記事情に鑑み、小型化が図られたレンズ組立体および撮像装置を提供することを目的とする。
【課題を解決するための手段】
【００１７】
上記目的を達成する本発明のレンズ組立体は、
レンズと、
外壁面に第１のネジが形成された、上記レンズを収容する鏡筒と、
内壁面に上記鏡筒外壁面に形成された第１のネジと螺合する第２のネジが形成されるとともに外壁面にレンズホルダ取付用の第３のネジが形成された、上記鏡筒に収容されたレンズの周縁部を押える押え環とを備えたことを特徴とする。
【００１８】
本発明のレンズ組立体は、鏡筒の外壁面に形成された第１のネジと、押え環の内壁面に形成された第２のネジが螺合することにより、鏡筒に押え環が固定されるとともに、押え環の外壁面に形成された第３のネジによりレンズホルダが押え環に取り付けられてなる構成である。この構成によれば、鏡筒の外壁面の、レンズの周縁部に対応する部分に、押え環が固定されるため、従来の、鏡筒の内壁面に押え環を固定するための雌ネジを形成する技術と比較し、光軸方向への寸法を、上記雌ネジを形成するためのスペース分（押え環の嵌合長分）だけ短くすることができる。また、この構成によれば、押え環の外壁面の、レンズの周縁部に対応する部分に、レンズホルダが取り付けられるため、従来の、鏡筒の外壁面の前端側に、レンズホルダを取り付けるための雄ネジを形成する技術と比較し、光軸方向への寸法を、上記雄ネジを形成するためのスペース分（レンズホルダの嵌合長分）だけ短く抑えることができる。さらに、特許文献１に提案された、鏡筒本体に押え部材を結合する技術と比較し、光軸方向への寸法を、上記押え部材を結合するためのスペース分だけ短くすることができる。従って、レンズ組立体の小型化が図られる。
【００１９】
ここで、上記鏡筒が、上記第１のネジが外壁面に形成されるとともにその外壁面に上記押え環が螺合したときにその押え環の内壁面と摺接する円筒状の第１の摺接面を有し、
上記押え環が、上記第２のネジが内壁面に形成されるとともに、その内壁面に、上記鏡筒に螺合したときにその鏡筒の上記第１の摺接面と摺接する円環状の第２の摺接面を有することが好ましい。
【００２０】
押え環を鏡筒の外壁面に固定するにあたり、鏡筒の外壁面に形成された第１のネジを押え環の内壁面に形成された第２のネジに螺入しただけでは、それら第１，第２のネジどうしの間で発生するガタに起因して、押え環の外壁面に取り付けられるレンズホルダの取付精度が低下する。すると、そのレンズホルダに取り付けられる撮像素子とレンズとの間で、誤差が発生する。そこで、鏡筒の外壁面に摺接面を設けるとともに押え環の内壁面に摺接面を設け、これら摺接面どうしを互いに摺接させることにより、鏡筒と押え環とのガタを抑制することができる。このようにすることにより、押え環の外壁面に取り付けられるレンズホルダの取付精度を高めることができる。
【００２１】
また、上記押え環が、内周面と外周面との間を貫通し、その内周面に開いた開口よりもその外周面に開いた開口の方が大きな開口であるネジロック用接着穴を有することも好ましい態様である。
【００２２】
このようにすると、接着剤の注入量が多い場合であっても、ネジロック用接着穴が有する大きな開口が接着剤溜りの役割りを担うこととなり、接着剤がネジロック用接着穴から溢れ出して押え環の外壁面に接着してレンズホルダの取り付けに支障を来たすことが防止される。従って、接着剤の注入にあたり、接着剤の注入量をきめ細かく調整する必要はなく、レンズ組立体の作業性を高めることができる。
【００２３】
さらに、上記押え環が、内周面と外周面との双方に開口して上記レンズの光軸方向に延び、一端がその押え環の端面に達するネジロック用接着溝を有することも好ましい。
【００２４】
このようなネジロック用接着溝を有すると、押え環の外壁面にレンズホルダを取り付けた状態で、押え環の端面側から接着剤を注入することができる。従って、鏡筒と、押え環と、レンズホルダとの接着を同時に行なうことができ、レンズ組立体の作業性を高めることができる。
【００２５】
また、上記押え環の内壁面に形成された上記第２のネジとその押え環の外壁面に形成された上記第３のネジが、互いに逆ネジに形成されていることも好ましい態様である。
【００２６】
このように、第２のネジと第３のネジが互いに逆ネジに形成されていると、鏡筒を所定の回転方向に回転させてレンズ組立体から鏡筒のみ外すことができるとともに、鏡筒を所定の回転方向とは逆の回転方向に回転させることによりレンズ組立体からレンズホルダのみ外すことができる。従って、レンズ組立体を自在に分解することができる。
【００２７】
さらに、上記押え環が、上記レンズホルダ取付時にその押え環をそのレンズホルダに螺入するためのカニメ溝を有することも好ましい。
【００２８】
このようにすると、レンズ組立体の組立にあたり、所定の方向に回転して鏡筒に固定された押え環のカニメ溝に治具を挿入して、その押え環を回転させることで、固定された押え環が鏡筒に対して緩むことなく、レンズホルダを押え環に固定することができる。
【００２９】
また、さらに、上記押え環外壁面に形成された第３のネジが螺入する第４のネジが形成されたレンズホルダを備えたことも好ましい。
【００３０】
このようにすると、押え環にレンズホルダを簡単に取り付けることができる。
【００３１】
また、上記目的を達成する本発明の撮像装置は、上記レンズ組立体と、撮像素子とを備えたことを特徴とする。
【００３２】
本発明の撮像装置は、上記レンズ組立体を備えたものであるため、小型化が図られている。
【発明の効果】
【００３３】
本発明によれば、小型化が図られたレンズ組立体および撮像装置を提供することができる。
【発明を実施するための最良の形態】
【００３４】
以下、図面を参照して本発明の実施の形態を説明する。
【００３５】
図１は、本発明の第１実施形態のレンズ組立体の、レンズホルダが取り付けられる前の構造の一部を切り欠いて示す斜視図である。
【００３６】
図１には、本発明の第１実施形態のレンズ組立体１０を構成する撮影レンズ１１と、その撮影レンズ１１を収容する鏡筒１２と、その撮影レンズ１１の周縁部を押える押え環１３とが示されている。
【００３７】
鏡筒１２の外壁面には、雄ネジ１２ａ（本発明にいう第１のネジの一例に相当）が形成されている。また、押え環１３には、その押え環１３の内壁面に、鏡筒１２の外壁面に形成された雄ネジ１２ａと螺合する雌ネジ１３ａ（本発明にいう第２のネジの一例に相当）が形成されている。詳細には、鏡筒１２の外壁面の、撮影レンズ１１の周縁部に対応する部分に雄ネジ１２ａが形成されており、この雄ネジ１２ａが、押え環１３の内壁面に形成された雌ネジ１３ａに螺入することにより、鏡筒１２に押え環１３が固定されている。さらに、押え環１３には、その押え環１３の外壁面に、後述するレンズホルダ１４の取付用の雄ネジ１３ｂ（本発明にいう第３のネジの一例に相当）が形成されている。
【００３８】
図２は、図１に示すレンズ組立体の、レンズホルダが取り付けられた後の構造の一部を切り欠いて示す斜視図である。
【００３９】
図２には、上述した撮影レンズ１１，鏡筒１２，押え環１３、およびその押え環１３の外壁面に取り付けられたレンズホルダ１４を備えたレンズ組立体１０が示されている。尚、レンズホルダ１４は、実際には、このレンズホルダ１４を押え環１３に取り付けるための前枠および撮像素子を取り付けるための後枠を有するが、ここでは便宜上、レンズホルダ１４の前枠のみ図示している。レンズホルダ１４の前枠の内壁面には、押え環１３の外壁面に形成された雄ネジ１３ｂが螺入する雌ネジ１４ａ（本発明にいう第４のネジの一例に相当）が形成されている。この雌ネジ１４ａに、押え環１３の外壁面に形成された雄ネジ１３ｂが螺入することにより、押え環１３にレンズホルダ１４が取り付けられている。
【００４０】
第１実施形態のレンズ組立体１０では、鏡筒１２の外壁面の、撮影レンズ１１の周縁部に対応する部分に、押え環１３が固定されているため、従来の、鏡筒の内壁面に押え環を固定するための雌ネジを形成する技術と比較し、光軸方向への寸法を、上記雌ネジを形成するためのスペース分（押え環の嵌合長分）だけ短くすることができる。また、押え環１３の外壁面の、撮影レンズ１１の周縁部に対応する部分に、レンズホルダ１４が取り付けられているため、従来の、鏡筒の外壁面の前端側に、レンズホルダを取り付けるための雄ネジを形成する技術と比較し、光軸方向への寸法を、上記雄ネジを形成するためのスペース分（レンズホルダの嵌合長分）だけ短く抑えることができる。さらに、特許文献１に提案された、鏡筒本体に押え部材を結合する技術と比較し、光軸方向への寸法を、上記押え部材を結合するためのスペース分だけ短くすることができる。従って、レンズ組立体１０の小型化が図られる。
【００４１】
図３は、本発明の第２実施形態のレンズ組立体の、レンズホルダが取り付けられる前の構造の一部を切り欠いて示す斜視図である。
【００４２】
図３に示すレンズ組立体２０は、図１に示すレンズ組立体１０と比較し、図１に示す鏡筒１２と押え環１３が、以下に説明する鏡筒２２と押え環２２に置き換えられている点が異なっている。
【００４３】
鏡筒２２には、その外壁面に雄ネジ２２ａ（本発明にいう第１のネジの他の一例に相当）が形成されている。また、この鏡筒２２は、その外壁面の、雄ネジ２２ａが形成された部分を除く後端部に、押え環２３が螺合したときに押え環２３の内壁面の後端部と摺接する円筒状の摺接面２２ｂ（本発明にいう第１の摺接面の一例に相当）を有する。
【００４４】
また、押え環２３には、雌ネジ２３ａ（本発明にいう第２のネジの他の一例に相当）が内壁面に形成されるとともに、その内壁面の、雌ネジ２３ａが形成された部分を除く後端部に、鏡筒２２に螺合したときにその鏡筒２２の摺接面２２ｂと摺接する円環状の摺接面２３ｂ（本発明にいう第２の摺接面の一例に相当）を有する。
【００４５】
第２実施形態のレンズ組立体２０では、鏡筒２２の外壁面に形成された雄ネジ２２ａが、押え環２３の内壁面に形成された雌ネジ２３ａに螺入することにより、押え環２３が鏡筒２２の外壁面に固定されている。ここで、雄ネジ２２ａを雌ネジ２３ａに螺入しただけでは、それら雄ネジ２２ａと雌ネジ２３ａとの間で発生するガタに起因して、押え環２３の外壁面に取り付けられるレンズホルダ（図示せず）の取付精度が低下する。すると、そのレンズホルダに取り付けられる撮像素子と撮影レンズ２１との間で、誤差が発生する。そこで、本発明の第２実施形態のレンズ組立体２０では、鏡筒２２の外壁面に摺接面２２ｂを設けるとともに押え環２３の内壁面に摺接面２３ｂを設け、これら摺接面２２ｂと摺接面２３ｂを互いに摺接させることにより、鏡筒２２と押え環２３とのガタを抑制している。このようにすることにより、押え環２３の外壁面に取り付けられるレンズホルダの取付精度を高めることができる。
【００４６】
図４は、本発明の第３実施形態のレンズ組立体の、レンズホルダが取り付けられる前の構造の一部を切り欠いて示す斜視図である。
【００４７】
図４に示すレンズ組立体３０は、図３に示すンズ組立体２０と比較し、押え環２３が押え環３３に置き換えられている点が異なっている。
【００４８】
図４に示す押え環３３は、図３に示す押え環２３が有する構成要素に加え、内周面と外周面との間を貫通し、内周面に開いた開口３３ａ１よりも外周面に開いた開口３３ａ２の方が大きな開口（２段の開口（またはテーパ形状の開口））であるネジロック用接着穴３３ａを有する。
【００４９】
第３実施形態のレンズ組立体３０では、鏡筒２２の外壁面に形成された雄ネジ２２ａが、押え環３３の内壁面に形成された雌ネジ２３ａに螺入することにより、押え環３３が鏡筒２２の外壁面に固定されるとともに、鏡筒２２の外壁面に設けられた摺接面２２ｂと押え環３３の内壁面に設けられた摺接面２３ｂが互いに摺接している。この状態で、さらに、押え環３３のネジロック用接着穴３３ａに接着剤が注入され、これにより鏡筒２２に押え環３３がネジロックされる。ここで、接着剤の注入量が多い場合であっても、ネジロック用接着穴３３ａが有する大きな開口３３ａ２が接着剤溜りの役割りを担うこととなり、接着剤がネジロック用接着穴３３ａから溢れ出して押え環３３の外壁面に接着してレンズホルダの取り付けに支障を来たすことが防止される。また、小さな開口３３ａ１は、鏡筒２２と押え環３３との接着にあたり、十分な接着強度を維持することができる量の接着剤を注入することができる開口である。従って、接着剤の注入にあたり、接着剤の注入量をきめ細かく調整する必要はなく、レンズ組立体３０の作業性を高めることができる。
【００５０】
図５は、本発明の第４実施形態のレンズ組立体の、レンズホルダが取り付けられる前の構造の一部を切り欠いて示す斜視図である。
【００５１】
図５に示すレンズ組立体４０を構成する押え環４３は、内周面と外周面との双方に開口して撮影レンズ１１の光軸方向に延び、一端が押え環４３の端面４３ａに達するネジロック用接着溝４３ｂを有する。
【００５２】
図６は、図５に示すレンズ組立体の、レンズホルダが取り付けられた後の構造の一部を切り欠いて示す斜視図である。
【００５３】
図６には、図５に示す押え環４３の外壁面に取り付けられたレンズホルダ１４を備えたレンズ組立体４０が示されている。
【００５４】
第４実施形態のレンズ組立体４０では、一端が押え環４３の端面４３ａに達するネジロック用接着溝４３ｂを有する押え環４３が備えられている。このため、図６に示すように、押え環４３の外壁面にレンズホルダ１４を取り付けた状態で、押え環４３の端面４３ａ側から接着剤を注入することができる。このようにすることにより、鏡筒２２と、押え環４３と、レンズホルダ１４との接着を同時に行なうことができる。従って、レンズ組立体４０の作業性を高めることができる。尚、図５に示すように鏡筒２２の外壁面に押え環４３が取り付けられた状態で１回目の接着剤の注入を行なって、鏡筒２２と押え環４３を接着し、次いで、図６に示すように押え環４３の外壁面にレンズホルダ１４が取り付けられた状態で２回目の接着剤の注入を行なって、押え環４３とレンズホルダ１４を接着するというように、接着剤の注入を２回に分けて行なってもよい。
【００５５】
図７は、本発明の第５実施形態のレンズ組立体の、レンズホルダが取り付けられる前の構造の一部を切り欠いて示す斜視図である。また、図８は、図７に示すレンズ組立体の、レンズホルダが取り付けられた後の構造の一部を切り欠いて示す斜視図である。
【００５６】
図７に示すレンズ組立体５０を構成する押え環５３には、その内壁面に雌ネジ５３ａ（本発明にいう第２のネジの更なる他の一例に相当）が形成されている。また、この押え環５３には、その外壁面に雄ネジ５３ｂ（本発明にいう第３のネジの他の一例に相当）が形成されている。これら雌ネジ５３ａと雄ネジ５３ｂは、互いに逆ネジに形成されている。また、この押え環５３は、図８に示すレンズホルダ１４の取付時に、押え環５３をレンズホルダ１４に螺入するためのカニメ溝５３ｃを有する。
【００５７】
レンズ組立体５０の組立にあたっては、第１の工程において、押え環５３を鏡筒２２に固定する。詳細には、図７に示すように、鏡筒２２を固定した状態で押え環５３を時計方向Ｐに回転して、鏡筒２２の外壁面に形成された雄ネジ２２ａを、押え環５３の内壁面に形成された雌ネジ５３ａに螺入する。次いで、第２の工程において、図８に示すように、レンズホルダ１４を押え環５３に固定する。詳細には、押え環５３のカニメ溝５３ｃに治具を挿入し、その治具で押え環５３を反時計方向Ｑに回転して、押え環２３の外壁面に形成された雄ネジ５３ｂを、レンズホルダ１４の内壁面に形成された雌ネジ１４ａに螺入する。このようにして、第１の工程において時計方向Ｐに固定された押え環２３が鏡筒２２に対して緩まないように、第２の工程においては押え環５３のカニメ溝５３ｃに治具を挿入して、鏡筒２２とともに押え環５３を反時計方向Ｑに回転して、レンズホルダ１４を押え環５３に固定する。このようにしてレンズ組立体５０を組み立てる。
【００５８】
組み立てられたレンズ組立体５０から鏡筒２２のみ外したい場合は、鏡筒２２を反時計方向Ｑに回転させることにより、レンズ組立体５０から鏡筒２２のみ外すことができる。また、組み立てられたレンズ組立体５０からレンズホルダ１４のみ外したい場合は、鏡筒２２を時計方向Ｐに回転させることにより、レンズ組立体５０からレンズホルダ１４のみ外すことができる。
【００５９】
上述したように、第５実施形態のレンズ組立体５０では、押え環５３の内壁面に形成された雌ネジ５３ａとその押え環５３の外壁面に形成された雄ネジ５３ｂが、互いに逆ネジに形成されている。このため、鏡筒２２を反時計方向Ｑに回転させることにより、レンズ組立体５０から鏡筒２２のみ外すことができる。また、鏡筒２２を時計方向Ｐに回転させることにより、レンズ組立体５０からレンズホルダ１４のみ外すことができる。従って、レンズ組立体５０を自在に分解することができる。
【００６０】
また、上述したように、押え環５３は、押え環５３をレンズホルダ１４に螺入するためのカニメ溝５３ｃを有するため、レンズ組立体５０の組立にあたり、先ず、押え環２３を時計方向Ｐに回転して鏡筒２２に固定し、次いで、押え環５３のカニメ溝５３ｃに治具を挿入して押え環５３を反時計方向Ｑに回転する。このようにすることで、時計方向Ｐに固定された押え環２３が鏡筒２２に対して緩むことなく、レンズホルダ１４を押え環５３に固定することができる。
【００６１】
図９は、図３に示すレンズ組立体を備えたカメラユニットの、断面を示す斜視図である。
【００６２】
図９に示すカメラユニット６０は、本発明の撮像装置の一実施形態であり、このカメラユニット６０には、図３に示すレンズ組立体２０と、レンズホルダ６１と、撮像素子６２と、基板６３とが備えられている。
【００６３】
このカメラユニット６０を組み立てるには、レンズ組立体２０にレンズホルダ６１を取り付け、ＣＣＤ等の撮像素子６２を搭載した基板６３をレンズホルダ６１に接着固定する。このカメラユニット６０によれば、レンズ組立体２０が備えられているため、小型化が図られている。
【図面の簡単な説明】
【００６４】
【図１】本発明の第１実施形態のレンズ組立体の、レンズホルダが取り付けられる前の構造の一部を切り欠いて示す斜視図である。
【図２】図１に示すレンズ組立体の、レンズホルダが取り付けられた後の構造の一部を切り欠いて示す斜視図である。
【図３】本発明の第２実施形態のレンズ組立体の、レンズホルダが取り付けられる前の構造の一部を切り欠いて示す斜視図である。
【図４】本発明の第３実施形態のレンズ組立体の、レンズホルダが取り付けられる前の構造の一部を切り欠いて示す斜視図である。
【図５】本発明の第４実施形態のレンズ組立体の、レンズホルダが取り付けられる前の構造の一部を切り欠いて示す斜視図である。
【図６】図５に示すレンズ組立体の、レンズホルダが取り付けられた後の構造の一部を切り欠いて示す斜視図である。
【図７】本発明の第５実施形態のレンズ組立体の、レンズホルダが取り付けられる前の構造の一部を切り欠いて示す斜視図である。
【図８】図７に示すレンズ組立体の、レンズホルダが取り付けられた後の構造の一部を切り欠いて示す斜視図である。
【図９】図３に示すレンズ組立体を備えたカメラユニットの、断面を示す斜視図である。
【図１０】従来のレンズ組立体の、レンズホルダが取り付けられる前の構造の一部を切り欠いて示す斜視図である。
【図１１】図１０に示すレンズ組立体の、レンズホルダが取り付けられた後の構造の一部を切り欠いて示す斜視図である。
【図１２】従来の、図１０，図１１に示すレンズ組立体とは異なるレンズ組立体の、レンズホルダが取り付けられる前の構造の一部を切り欠いて示す斜視図である。
【図１３】図１２に示すレンズ組立体の、レンズホルダが取り付けられた後の構造の一部を切り欠いて示す斜視図である。
【符号の説明】
【００６５】
１０，２０，３０，４０，５０  レンズ組立体
１１  撮影レンズ
１２，２２  鏡筒
１２ａ，１３ｂ，２２ａ，５３ｂ  雄ネジ
１３，２３，３３，４３，５３  押え環
１３ａ，１４ａ，２３ａ，５３ａ  雌ネジ
１４，６１  レンズホルダ
２２ｂ，２３ｂ  摺接面
３３ａ  ネジロック用接着穴
３３ａ１，３３ａ２  開口
４３ａ  押え環の端面
４３ｂ  ネジロック用接着溝
５３ｃ  カニメ溝
６０  カメラユニット
６２  撮像素子
６３  基板
【図１】
0004990832.tif 000002
【図２】
0004990832.tif 000003
【図３】
0004990832.tif 000004
【図４】
0004990832.tif 000005
【図５】
0004990832.tif 000006
【図６】
0004990832.tif 000007
【図７】
0004990832.tif 000008
【図８】
0004990832.tif 000009
【図９】
0004990832.tif 000010
【図１０】
0004990832.tif 000011
【図１１】
0004990832.tif 000012
【図１２】
0004990832.tif 000013
【図１３】
0004990832.tif 000014